(57)【要約】      （修正有）【課題】発光表示技術において、更なる省エネルギー化を実現すると共に、設置に関する自由度を高めることができる発光表示装置及び発光ラベルを提供する。【解決手段】発光表示装置は、無機ＥＬシートによる発光表示が可能な発光表示部１と、当該発光表示部１の設置位置又はその周囲における照度を検出する照度センサ２と、発光表示部１を制御する制御部７と、を備える。そして、制御部７は、照度センサ２による検出照度Ｐが閾値Ｐ０以下となったとき、無機ＥＬシートによる発光表示を発光表示部１に実行させることが可能になる。【選択図】図１
0003209204.tif 000002
【実用新案登録請求の範囲】
【請求項１】
無機ＥＬシートによる発光表示が可能な発光表示部と、
前記発光表示部の設置位置又はその周囲における照度を検出する照度センサと、
前記発光表示部を制御する制御部と、
を備え、
前記制御部は、前記照度センサによる検出照度が閾値以下となったとき、前記無機ＥＬシートによる発光表示を前記発光表示部に実行させることが可能になる、発光表示装置。
【請求項２】
前記発光表示部への人の接近を検知する人感センサを更に備え、
前記制御部は、前記照度センサによる前記検出照度が前記閾値以下となり、且つ、前記人感センサにより人の接近が検知されたとき、前記無機ＥＬシートによる発光表示を前記発光表示部に実行させる、請求項１に記載の発光表示装置。
【請求項３】
前記無機ＥＬシートに電力を供給する蓄電池と、
前記蓄電池を充電する太陽光発電部と、
を更に備える、請求項１又は２に記載の発光表示装置。
【請求項４】
前記太陽光発電部での発電量に基づいて前記照度を検出することにより、前記太陽光発電部を前記照度センサとして機能させる、請求項３に記載の発光表示装置。
【請求項５】
前記発光表示部は、前記無機ＥＬシートによる発光表示領域が矩形状であり、当該発光表示領域の縦幅及び横幅の各々が２００ｍｍ以下である、請求項１〜４の何れかに記載の発光表示装置。
【請求項６】
請求項１〜５の何れかに記載の発光表示装置において、前記発光表示部として用いられる発光ラベルであって、前記無機ＥＬシートを基材とすることにより曲げることが可能である、発光ラベル。
【考案の詳細な説明】
【技術分野】
【０００１】
本考案は、印刷物等を発光体で照らして表示する発光表示技術に関する。
【背景技術】
【０００２】
ＬＥＤ（Light  Emiting  Diode）や有機ＥＬ（Electroluminescence）等の発光体により印刷物等を照らして表示する発光表示装置が、従来から存在する。例えば、何らかの印刷が施された透明フィルムや透明プレート等を、背面から発光体で照らすことにより、夜間や暗い場所での印刷内容の視認性を高めるものが存在する（例えば、特許文献１〜３参照）。ＬＥＤや有機ＥＬは、従来使用されていた蛍光灯や白熱灯に比べて、消費電力が小さく、且つ、高輝度であるため、蛍光灯や白熱灯に代替する発光体として使用が増大しつつある。
【先行技術文献】
【特許文献】
【０００３】
【特許文献１】特開平１１−８７０５５号公報
【特許文献１】特開２０１２−３７６４９号公報
【特許文献１】実用新案登録第３１８３５８６号公報
【考案の概要】
【考案が解決しようとする課題】
【０００４】
しかし、近年、省エネルギー化や太陽光等の代替エネルギーの利用が推進されており、上述した発光表示装置においても、更なる省エネルギー化が望まれる。
【０００５】
又、従来の発光表示装置には、発光体への電力供給源としてソーラパネルが一体化されたものや、監視カメラ等に一体化されたもの等、別の装置と一体化されたものが多く存在する。しかし、別の装置と一体化された発光表示装置は、サイズが大型化するだけでなく、設置に関する自由度が大幅に制限されることになる。
【０００６】
更に、従来の発光表示装置では、気温の変化や振動等の衝撃から発光体を保護する必要があった。この様な発光体の保護は、保護構造の追加による発光表示装置の大型化や、発光表示装置の設置に関する自由度の大幅な制限を招くことになる。
【０００７】
そこで本考案の目的は、発光表示技術において、更なる省エネルギー化を実現すると共に、設置に関する自由度を高めることである。
【課題を解決するための手段】
【０００８】
本考案に係る発光表示装置は、無機ＥＬシートによる発光表示が可能な発光表示部と、当該発光表示部の設置位置又はその周囲における照度を検出する照度センサと、発光表示部を制御する制御部と、を備える。そして、制御部は、照度センサによる検出照度が閾値以下となったとき、無機ＥＬシートによる発光表示を発光表示部に実行させることが可能になる。
【０００９】
上記発光表示装置によれば、昼間等、周囲が明るいときには、発光表示部による発光表示が実行されず、従って、無駄な電力消費を抑制することが可能になる。又、無機ＥＬシートは、低温でも発光が可能であり、又、振動等の衝撃に強いため、屋内外の様々な場所に発光表示部を設置することを可能にする。
【考案の効果】
【００１０】
本考案によれば、発光表示技術において、更なる省エネルギー化を実現すると共に、設置に関する自由度を高めることができる。
【図面の簡単な説明】
【００１１】
【図１】第１実施形態に係る発光表示装置を示した概念図である。
【図２】第２実施形態に係る発光表示装置を示した概念図である。
【図３】第３実施形態に係る発光表示装置を示した概念図である。
【考案を実施するための形態】
【００１２】
［１］第１実施形態
図１は、第１実施形態に係る発光表示装置を示した概念図である。図１に示される様に、発光表示装置は、発光表示部１と、照度センサ２と、人感センサ３と、太陽光発電部４と、蓄電池５と、インバータ６と、制御部７と、を備える。
【００１３】
発光表示部１は、無機ＥＬシートを基材として構成されたものであり、当該無機ＥＬシートによる発光表示が可能である。一例として、発光表示部１は、無機ＥＬシートの表面に印刷等によって文字、記号、又はイラスト等が施された発光ラベルである。他の例として、発光表示部１は、印刷等によって文字、記号、又はイラスト等が施された透明フィルムや透明プレートを、背面から無機ＥＬシートで照らす発光ラベルである。
【００１４】
無機ＥＬシートは、厚さ０．５ｍｍ以下である樹脂フィルム（例えば、ＰＥＴ（Polyethyleneterephthalate）フィルム）上に、薄膜の電極層及び発光層が積層されることによって形成されている。よって、無機ＥＬシートは、全体の厚さが１ｍｍ以下となり、従って薄型且つ軽量（厚紙と同程度）である。更に、無機ＥＬシートは、湾曲や屈曲等の曲げに対して破損し難い構成を有しており、従って、設置場所の状況（設置面の形状等）に応じて適宜曲げることが可能である。
【００１５】
発光表示装置の使用例として、監視カメラの設置場所に発光表示部１を設置することができる。監視カメラは、悪戯や意図的な破壊等を避けるべく、人の目に付き難い場所に設置されることが好ましい。このため、監視カメラ自体は、その存在を周囲に認知させ難く、従って犯罪を未然に防ぐとった防犯には役立ち難い。そこで、発光表示部１に、「監視中」や「録画中」等、防犯のための警告を表す文字を印刷し、発光表示部１を、監視カメラから離間させて人の目に付き易い場所に設置することが好ましい。
【００１６】
これにより、監視カメラへの悪戯等を防止しつつ、防犯のための警告を周囲に与えることができる。又、発光表示部１に悪戯や意図的な破壊が加えられた場合であっても、監視カメラには被害が及ばず、従って悪戯等の行為を監視カメラで記録することができる。
【００１７】
尚、発光表示装置の使用例は、上記の例に限定されるものではない。例えば、自動車の後部ウィンドウ、住宅や事業所等の玄関や非常口、関係者以外の侵入が好ましくない場所、何らかの危険が想定される場所等、屋内外の様々な場所に、発光表示部１を設置することができる。即ち、警告に限らず、誘導や案内等、防犯、安全、防災等を向上させるための様々な場面で使用することができる。又、発光表示部１には、防犯、安全、防災等を向上させるための様々な文字、記号、イラスト等が施されていてもよい。
【００１８】
屋内外の様々な場所への設置を可能にしつつ何らかの表示を可能にするものとして、発光表示部１は、無機ＥＬシートによる発光表示領域が矩形状であり、当該発光表示領域の縦幅及び横幅の各々が２００ｍｍ以下であることが好ましい。尚、発光表示領域の形状やサイズは、これに限定されるものではなく、種々の変形が可能である。但し、発光表示領域のサイズを小さくことにより、無機ＥＬシートでの消費電力を小さくすることができる。
【００１９】
照度センサ２は、発光表示部１の設置位置又はその周囲における照度を検出する。照度センサ２には、フォトダイオードやフォトトランジスタ等を用いることができる。照度センサ２で検出された検出照度Ｐは制御部７に入力される。尚、照度センサ２は、発光表示部１と一体的に構成されていてもよいし、発光表示部１から離間した位置への設置が可能となる様に構成されていてもよい。又、発光表示部１から離間した位置に照度センサ２を設置する場合、照度センサ２は、太陽光発電部４等を含む電源部に設けられてもよい。更に、太陽光発電部４での発電量を検出し、検出した発電量に基づいて周囲における照度を検出することにより、太陽光発電部４を、照度センサ２として機能させてもよい。
【００２０】
人感センサ３は、発光表示部１への人の接近を検知する。人感センサ３には、焦電型赤外線センサや反射型赤外線センサ等を用いることができる。人感センサ３は、人を検知したとき検知信号Ｓを出力する。そして、この検知信号Ｓは制御部７に入力される。尚、人感センサ３は、発光表示部１と一体的に構成されていてもよいし、発光表示部１から離間した位置への設置が可能となる様に構成されていてもよい。又、発光表示部１から離間した位置に人感センサ３を設置する場合、人感センサ３は、太陽光発電部４等を含む電源部に設けられてもよい。
【００２１】
太陽光発電部４は、例えばソーラパネルであり、太陽光のエネルギーを電気エネルギーに変換して、２次電池である蓄電池５に蓄える。蓄電池５の出力は直流電圧である一方で、無機ＥＬシートは、交流電圧で発光するものである。このため、蓄電池５から出力される直流電圧は、インバータ６により、発光表示部１の無機ＥＬシートに供給するための交流電圧に変換される。
【００２２】
本実施形態において、太陽光発電部４、蓄電池５、及びインバータ６は、発光表示部１から離間して設けられている。従って、発光表示部１（無機ＥＬシート）を含む一体構造物の軽量化が、太陽光発電部４、蓄電池５、又はインバータ６によって妨げられることがない。尚、インバータ６は、変換する電圧が低電圧である場合には、小型化が容易である。従って、インバータ６が小型である場合には、インバータ６は、発光表示部１に一体的に組み込まれてもよい。このとき、発光表示部１を含む一体構造物のサイズができるだけ小さくなる様に、インバータ６を構成する回路のみが発光表示部１に組み込まれてもよい。
【００２３】
この様に、発光表示部１は、太陽光発電部４、蓄電池５、及びインバータ６から離間して設置することが可能であり、又、小型化且つ軽量化が容易である。よって、本実施形態の発光表示装置は、発光表示部１の設置に関して高い自由度を有している。
【００２４】
制御部７は、照度センサ２による検出照度Ｐと、人感センサ３からの検知信号Ｓと、に基づいて、発光表示部１を制御する。具体的には、制御部７は、照度センサ２による検出照度Ｐが閾値Ｐ０以下となったとき、無機ＥＬシートによる発光表示を発光表示部１に実行させることが可能になる。これにより、昼間等、周囲が明るいときには、発光表示部１による発光表示が実行されず、従って、無駄な電力消費を抑制することが可能になる。
【００２５】
そして、照度センサ２による検出照度Ｐが閾値Ｐ０以下であり、且つ、人感センサ３により人の接近が検知されたとき（即ち、検知信号Ｓが制御部７に入力されたとき）、制御部７は、無機ＥＬシートによる発光表示を発光表示部１に実行させる。具体的には、制御部７は、インバータ６の出力を制御することにより、無機ＥＬシートによる発光表示を制御する。尚、制御部７は、発光表示部１を制御することにより、無機ＥＬシートによる発光表示を制御してもよい。これにより、人を検知していないときの無駄な電力消費を更に抑制することが可能になる。
【００２６】
更に、無駄な電力消費を抑制するという観点から、制御部７は、予め設定された所定時間だけ発光表示部１に発光表示を実行させ、所定時間が経過したときに発光表示部１に発光表示を停止させることが好ましい。
【００２７】
上記発光表示装置によれば、夜間や雨天時など、発光表示部１が発する光なしには発光表示部１に施されている文字等を視認することが困難な状況（暗い状況）になったとき、発光表示部１による発光表示が可能になる。そして、発光表示部１による発光表示が実行されることにより、発光表示される文字等を通じて警告等を周囲に与えることができる。
【００２８】
無機ＥＬは、一般的に、消費電力が小さい一方でＬＥＤや有機ＥＬ等の発光体に比べて低輝度である。しかし、本実施形態では、夜間や雨天時などの暗い状況下で無機ＥＬシートを発光させるため、低輝度であっても、発光表示される文字等を通じて警告等を周囲に与えるのには十分である。そして、消費電力の小さい無機ＥＬシートを用いることにより、更なる省エネルギー化が実現される。
【００２９】
この様に様々な観点から省エネルギー化が実現されることにより、蓄電池５の容量（放電容量）を小さくすることができ、又、太陽光発電部４での発電量も小さくすることができる。よって、太陽光発電部４及び蓄電池５を小型化することが可能になる。又、上記発光表示装置では、太陽光発電部４が発光表示部１から離間して設けられているため、日当たりの良い場所に太陽光発電部４を設置することが可能であり、従って、発電効率を高めることができる。
【００３０】
例えば、発光表示部１での消費電力を１．３Ｗとし、且つ、蓄電池５の容量を２．７Ｗｈとして、蓄電池５の電力を、容量の５０％になるまで連続的に使用した場合、発光表示部１において約１時間の発光表示が可能である。そして、１回あたりの発光表示の時間（所定時間）を１５秒とした場合、約２４０回の発光表示が可能となる。これは、１日に約４０回の発光表示が行われるとして、６日間、充電せずに発光表示を行うことが可能になることを示すものである。
【００３１】
又、太陽光発電部４から供給される電力を０．５４Ｗとして、上記蓄電池５（容量＝２．７Ｗｈ）の蓄電量が容量の５０％となったときに太陽光発電部４による充電を行う場合、その充電は約２．５時間といった短い時間で完了することになる。よって、６日のうちに延べ１日程度が晴天であれば、発光表示装置を継続して動作させることができ、従って実用的である。
【００３２】
更に、無機ＥＬシートは、低温でも発光が可能であり、又、振動等の衝撃に強いため、屋内外の様々な場所に発光表示部１を設置することを可能にする。従って、発光表示部１の設置に関して高い自由度が実現される。加えて、無機ＥＬシートは、有機ＥＬ等の発光体に比べて安価に製造することができる。又、無機ＥＬシートは、両面発光が可能であり、又、形状に関して高い自由度を持つため、設置場所において視認性を高め易い。
【００３３】
［２］第２実施形態
図２は、第２実施形態に係る発光表示装置を示した概念図である。図２に示される様に、上記発光表示装置は、スポットライト等の発光部８を更に備えていてもよい。この場合、制御部７は、人感センサ３により人の接近が検知されたとき（即ち、検知信号Ｓが制御部７に入力されたとき）、発光部８を点灯させることが好ましい。これにより、発光表示部１による発光表示によって得られる警告等の効果を、発光部８の点灯によって更に高めることができる。
【００３４】
より好ましくは、制御部７は、照度センサ２による検出照度Ｐが閾値Ｐ０以下となり、且つ、人感センサ３により人の接近が検知されたとき、発光部８を点灯させる。これにより、発光部８での電力消費を抑制することができる。
【００３５】
［３］第３実施形態
図３は、第３実施形態に係る発光表示装置を示した概念図である。図３に示される様に、上記発光表示装置は、電源として、太陽光発電部４及び蓄電池５に代えて商用交流電源を用いる構成や、人感センサ３を持たない構成を有していてもよい。商用交流電源を用いる場合、インバータ６に代えて、商用交流電源の交流電圧を所望の電圧に変換する電力変換回路９が用いられる。尚、商用交流電源に代えて、容量の大きい蓄電池５が用いられてもよい。
【００３６】
電源として商用交流電源や容量の大きい蓄電池５を用いることにより、夜間において、常時、発光表示部１に発光表示を実行させることができる。
【００３７】
上述の実施形態の説明は、すべての点で例示であって、制限的なものではないと考えられるべきである。本考案の範囲は、上述の実施形態ではなく、実用新案登録請求の範囲によって示される。更に、本考案の範囲には、実用新案登録請求の範囲と均等の意味及び範囲内での全ての変更が含まれることが意図される。
【符号の説明】
【００３８】
１  発光表示部
２  照度センサ
３  人感センサ
４  太陽光発電部
５  蓄電池
６  インバータ
７  制御部
８  発光部
Ｐ  検出照度
Ｐ０  閾値
Ｓ  検知信号
【図１】
0003209204.tif 000003
【図２】
0003209204.tif 000004
【図３】
0003209204.tif 000005